(57)【要約】      （修正有）【課題】枠部材に対する保護板の取付け直し作業を必要とすることなく発信機の押釦操作を可能として点検の効率化を図る。【解決手段】発信機２６は、通報装置扉２４の取付穴３４の背後に配置した押釦スイッチを、取付穴３４に組付けられた枠部材３０に保持された保護板３２の押し込みで操作する操作構造を備え、保護板３２を保持した枠部材３０の所定位置には、取外し治具４８を係合する治具係合部３５が設けられている。取外し治具４８は、取手部５０の先端に枠部材３０の治具係合部３５に嵌合する治具側係合部５２が形成される。発信機２６の点検時には、取外し治具４８の治具側係合部３５を枠部材３０の治具係合部３５に係合して操作するで保護板３２を保持した枠部材３０を通報装置扉２４の取付穴３４から取外し、続いて取付穴３４の背後に配置した押し釦スイッチを操作し、最後に保護板３２を保持した枠部材３０を通報装置扉２４の取付穴３４に取り付ける。【選択図】図６
2020136146.tif 000002
【特許請求の範囲】
【請求項１】
装置本体の取付面に開口した取付穴の背後に配置した押し釦スイッチを、前記取付穴に着脱可能に組付けられた枠部材に保持された保護板の押し込みで操作する操作構造を備えた発信機の点検方法であって、
前記保護板を保持した前記枠部材の所定位置には、取外し治具を係合する治具係合部が設けられており、
前記取外し治具は、前記枠部材の前記治具係合部に係合する治具側係合部を備え、
前記発信機の点検時には、
前記治具本体に形成した治具側係合部を前記枠部材の前記治具係合部に係合して操作することにより、前記保護板を保持した枠部材を前記取付穴から取外し、
続いて、前記押し釦スイッチを操作して点検し、
前記点検を終了した後に、前記保護板を保持した枠部材を前記取付穴に取り付ける、
ことを特徴とする発信機の点検方法。
【請求項２】
装置本体の取付面に開口した取付穴の背後に配置した押し釦スイッチを、前記取付穴に組付けられた枠部材に保持された保護板の押し込みで操作する発信機操作構造であって、
前記保護板を保持した前記枠部材の所定位置には、取外し治具の治具側係合部を係合して前記保護板を保持した枠部材を前記取付穴から外す治具係合部が設けられたことを特徴とする発信機操作構造。
【請求項３】
発信機は、装置本体の取付面に開口した取付穴の背後に配置した押し釦スイッチを、前記取付穴に取付けられた枠部材に保持した保護板の押し込みで操作する操作構造を備え、前記枠部材と保護板の所定位置には、取外し治具を係合する治具係合部が設けられ、前記保護板を保持した枠部材を前記取付穴から取外す取外し治具であって、
治具本体の先端に、前記枠部材の前記治具係合部に係合して操作することにより、前記保護板を保持した枠部材を前記装置本体の前記取付穴から取外す治具側係合部が設けられたことを特徴とする取外し治具。
【請求項４】
請求項１記載の方法に用いる取外し治具又は請求項３記載の取外し治具に於いて、前記治具本体は、作業者が指を入れて保持可能な取手部が形成され、前記取手部の先端から前記治具側係合部が延在され、前記取手部の後端から前記枠部材の表面に押圧される押圧部が延在されたことを特徴とする取外し治具。
【請求項５】
請求項４記載の取外し治具に於いて、前記取手部の高さは、少なくとも所定の試験指の直径に作業者が使用する手袋の厚みを加えた所定寸法としたことを特徴とする取外し治具。
【発明の詳細な説明】
【技術分野】
【０００１】
本発明は、発信機の点検方法、発信機操作構造及び取外し治具に関する。
【背景技術】
【０００２】
従来、発信機が取り付けられる例えば高速道路のトンネルに設置される消火栓装置は、開放自在な消火栓扉を備えた筐体内に、ノズル付きホースとバルブ類を収納し、また、開閉自在な消火器扉を備えた消火器収納部に例えば２本の消火器を収納し、更に、通報装置扉が設けられ、ここに赤色表示灯、発信機、及び応答ランプを設けている。
【０００３】
通報装置扉の赤色表示灯は常時点灯し、消火栓装置の設置場所が遠方から分かるようにしている。火災時には、発信機を押して押し釦スイッチをオン操作すると、発信信号が監視室の防災盤に送信されて火災警報が出され、これに伴い応答信号が防災盤から送られて、応答ランプを点灯するようにしている。
【０００４】
消火栓装置に設けられた発信機は、火災を通報する押し釦式通報装置として機能し、発信機が火災を通報するための機能を正常に備えているかは、定期的な点検によって確かめる必要があり、実際には押し釦を押してスイッチをオンすることで防災盤等に通報すること、及び通報を受信した防災盤では、火災の表示、火災区画の表示に加え、例えばトンネル内では情報板に火災表示や進入禁止等の表示を行う制御信号の送信を行うこと等を点検している。
【０００５】
また、発信機には誤って押さないこと、またいたずらを防止するため、樹脂製の保護板が取り付けることが義務づけられている。また保護板は、押したときに割れてしまう再利用不能なタイプと、押したときに外れ、再度装着できる脱着可能なタイプ（以下「再利用可能タイプ」という）の２種類が存在する。
【先行技術文献】
【特許文献】
【０００６】
【特許文献１】特開２０１１−０６０５８０号公報
【特許文献２】特開２０１６−０１８２１９号公報
【発明の概要】
【発明が解決しようとする課題】
【０００７】
ところで、保護板が再利用不能タイプの発信機は、点検する度に保護板を新品に交換することになるが、再利用可能タイプの発信機にあっては、保護板を押した後に保護板を保持しているリング状の枠部材を取外し、改めてリング状の枠部材に保護板を装着した後、これを本体の取付穴に取り付け直す作業が必要となり、手間が掛かる煩雑な作業が避けられないという問題がある。
【０００８】
このような点検に伴い保護板の交換や保護板を取り付け直す作業は他の作業も並行して行うため安全を考慮して手袋を付けて行うことになる。保護板の取付け直し作業には、その都度手袋を外して行わないと不要な時間が掛かり効率性を損ない、手袋装着のままでは作業の細かさから効率性を損ない、一方、手袋未装着のままでは安全性が損なわれることに繋がる。即ち、いずれの場合でも、効率性又は安全性を損なうため、特にトンネルのように通行止めの時間を極力短縮して、利用の利便性を継続的に維持する要請に応えるためには、枠部材に対する保護板の取付け直しする作業を見直して点検を効率化するという観点からの問題の解決が望まれる。
【０００９】
この問題を解決するため特許文献２の発信機にあっては、押し釦スイッチの前に、枠部材と保護板で構成された操作構造を配置した外扉を設け、点検時には外扉を開いて発信機の押し釦スイッチを操作できるようにし、保持枠に対する保護板の取付け直しを不要としているが、押し釦スイッチの操作構造を配置した外扉を新たに設けなければならないことから、構造が複雑化してコストアップになるという問題がある。
【００１０】
本発明は、枠部材に対する保護板の取付け直し作業を必要とすることなく、発信機の押釦操作を可能として点検の効率化を図る発信機の点検方法、発信機操作構造及び取外し治具を提供することを目的とする。
【課題を解決するための手段】
【００１１】
（第１発明：発信機の点検方法）
本願の第１発明は、装置本体の取付面に開口した取付穴の背後に配置した押し釦スイッチを、取付穴に着脱可能に組付けられた枠部材に保持された保護板の押し込みでオン操作する操作構造を備えた発信機の点検方法であって、
保護板を保持した枠部材の所定位置には、取外し治具を係合する治具係合部が設けられており、
取外し治具は、枠部材の前記治具係合部に係合する治具側係合部を備え、
発信機の点検時には、
治具本体に形成した治具側係合部を枠部材の治具係合部に係合して操作することにより、保護板を保持した枠部材を装置本体の取付穴から取外し、
続いて、取付け穴の背後に配置した押し釦スイッチを操作して点検し、
点検を終了した後に、保護板を保持した枠部材を装置本体の前記取付穴に取り付ける、
ことを特徴とする。
【００１２】
（第２発明：発信機のスイッチ操作構造）
本願の第２発明は、装置本体の取付面に開口した取付穴の背後に配置した押し釦スイッチを、取付穴に組付けられた枠部材に保持された保護板の押し込みでオン操作する発信機操作構造であって、
保護板を保持した枠部材の所定位置には、取外し治具の治具側係合部を係合して保護板を保持した枠部材を装置本体の取付穴から取外す治具係合部が設けられたことを特徴とする。
【００１３】
（第３発明：取外し治具）
本願の第３発明にあっては、発信機は、装置本体の取付面に開口した取付穴の背後に配置した押し釦スイッチを、取付穴に取付けられた枠部材に保持した保護板の押し込みでオン操作する操作構造を備え、枠部材の保護板を保持した隙間の所定位置には、取外し治具を嵌合する治具係合部が設けられ、保護板を保持した枠部材を前記装置本体の前記取付穴から取外す取外し治具であって、
治具本体の先端に、枠部材の治具係合部に係合して操作することにより、保護板を保持した枠部材を装置本体の取付穴から取外す治具側係合部が設けられたことを特徴とする。
【００１４】
（取外し治具の構造）
取外し治具の治具本体は、作業者が指を入れて保持可能な取手部が形成され、取手部の先端から治具側係合部が延在され、取手部の後端から枠部材の表面に押圧される押圧突起部が延在される。
【００１５】
（取手部の寸法）
取手部の高さは、少なくとも所定の試験指の直径に作業者が使用する手袋の厚みを加えた所定寸法とする。
【発明の効果】
【００１６】
（第１発明：発信機の点検方法による効果）
本願の第１発明は、装置本体の取付面に開口した取付穴の背後に配置した押し釦スイッチを、取付穴に着脱可能に組付けられた枠部材に保持された保護板の押し込みでオン操作する操作構造を備えた発信機の点検方法であって、保護板を保持した枠部材の所定位置には、取外し治具を係合する治具係合部が設けられており、取外し治具は、枠部材の前記治具係合部に係合する治具側係合部を備え、発信機の点検時には、治具本体の形成した治具側係合部を枠部材の治具係合部に係合して操作することにより、保護板を保持した枠部材を装置本体の取付穴から取外し、続いて、取付け穴の背後に配置した押し釦スイッチを操作して点検し、点検を終了した後に、保護板を保持した枠部材を装置本体の前記取付穴に取り付けるようにしたため、取付け治具を使用して発信機から保護板が付いたまま枠部材を取外すことで、取付穴を開放して内部の押し釦スイッチのオン操作による点検ができ、これにより発信信号が監視室の防災盤に送信されて火災警報が出され、これに伴い応答信号が防災盤から送られて、応答ランプが点灯したら正常動作を確認し、保護板が付いたままの枠部材を取付穴に嵌め入れて取り付けることで、保護板の押し込みによる押し釦スイッチの操作や、この操作に伴い枠部材から外れた保護板の取付け直し作業が一切不要となり、例えば、安全性を損なわないために手袋を付けて行う場合にも、保護板の取付け直しは行わないことから、手袋をつけたまま点検作業を進めることが可能となり、安全性を損なうことなしに点検作業が効率化され、特にトンネルの発信機点検では通行止めの時間を極力短縮して、利用の利便性を継続的に維持することができる。
【００１７】
（第２発明：発信機のスイッチ操作構造の効果）
また、本願の第２発明は、装置本体の取付面に開口した取付穴の背後に配置した押し釦スイッチを、取付穴に組付けられた枠部材に保持された保護板の押し込みで操作する発信機操作構造であって、保護板を保持した枠部材の所定位置には、取外し治具の治具側係合部を係合して保護板を保持した枠部材を装置本体の取付穴から取外す治具係合部が設けられたため、保護板を保持した枠部材の外側内周面に治具係合部を形成するという簡単な構造により、発信機の点検作業を効率化させるための発信機の操作構造を実現できる。
【００１８】
（第３発明：保護板の取外し治具による効果）
また、本願の第３発明にあっては、発信機は、装置本体の取付面に開口した取付穴の背後に配置した押し釦スイッチを、取付穴に取付けられた枠部材に保持した保護板の押し込みで操作する操作構造を備え、枠部材の保護板を保持した隙間の所定位置には、取外し治具を嵌合する治具係合部が設けられ、保護板を保持した枠部材を前記装置本体の前記取付穴から取外す取外し治具であって、治具本体の先端に、枠部材の治具係合部に係合して操作することにより、保護板を保持した枠部材を装置本体の取付穴から取外す治具側係合部が設けられたため、簡単でコスト的にも安価な取外し治具を使用することで、発信機の取付穴から保護板を付けたまま枠部材を簡単且つ容易に取外すことができ、発信機の点検作業を効率化させることができる。
【００１９】
（取外し治具の構造による効果）
また、取外し治具の治具本体は、作業者が指を入れて保持可能な取手部が形成され、取手部の先端から治具側係合部が延在され、取手部の後端から枠部材の表面に押圧される押圧突起部が延在されたため、取手部の先端の治具側係合部を発信機の保護板を保持する枠部材の治具係合部に係合させると、取手部の後端の押圧突起部が治具係合部の反対側の表面に押し当てられ、枠部材に取外し治具の取手部を取り付けた状態が形成され、取手部を持って手前に引き出すような操作により、装置本体の取付け穴から保護板を保持したままの枠部材を無理なく取外すことができる。
【００２０】
（取手部の大きさによる効果）
また、取手部の高さは、少なくとも所定の試験指の直径に作業者が使用する手袋の厚みを加えた所定寸法としたため、これによる取手部の高さは概ね１５〜３０ミリメートルとなり、点検員は手袋をはめたままで、取外し治具を用いた保護板を保持したまま枠部材を取外して点検作業を効率良くすすめることができる。
【図面の簡単な説明】
【００２１】
【図１】本発明が適用されるトンネル消火栓装置を示した説明図
【図２】図１の発信機の部分を取り出して発信機操作構造を示した説明図
【図３】図２の枠部材を取り出して示した説明図
【図４】図３の保護板を取り出して示した説明図
【図５】取外し治具の実施形態を示した説明図
【図６】取付け治具を用いた発信機操作部の取外しの手順を示した説明図
【図７】発信機操作構造に対する取付け治具の係合状態を裏面側から示した説明図
【発明を実施するための形態】
【００２２】
［本実施形態の基本的な概念］
図１は本発明が適用される発信機を取り付けたトンネル消火栓装置を示した説明図、図２は図１の発信機の部分を取り出して発信機操作構造を示した説明図である。
【００２３】
本発明による発信機の点検方法、発信機操作構造及び取外し治具の実施形態の基本的な概念は、例えば、トンネル内に設置される消火栓装置１０に設けられた発信機２６は、装置本体となる通報装置扉２４の取付面となる前面に開口した取付穴３４の背後に配置した押し釦スイッチ６０を、取付穴３４に組付けられた枠部材３０に保持された透明な保護板３２の押し込みでオン操作する操作構造を備え、保護板３２を保持した枠部材３０の所定位置には、取外し治具を係合する治具係合部３５が設けられており、取外し治具は、治具本体の先端に形成した枠部材３０の治具係合部３５に係合する治具側係合部が形成されており、発信機１０の点検時には、治具本体の先端に形成した治具側係合部を枠部材３０の治具係合部３５に係合して手前に引く操作により、保護板３２を保持したまま枠部材３０を通報装置扉２４の取付穴３４から取外し、続いて、取付穴３４の背後に配置した押し釦スイッチ６０をオン操作して点検し、点検が終了した後に、保護板３２を保持した枠部材３０を通報装置扉２４の取付穴３４に取り付けるようにしたものであり、このため、取付け治具を使用して発信機２６から保護板３２を付けたまま枠部材２０を取外すことで、取付穴３４を開放して内部の押し釦スイッチのオン操作による点検ができ、これにより発信信号が監視室の防災盤に送信されて火災警報が出され、これに伴い応答信号が防災盤から送られて、応答ランプ２８が点灯したら正常動作を確認し、保護板３２が付いたままの枠部材３０を取付穴３４に嵌め入れて取り付けることで、保護板３２の押し込みによる押し釦スイッチの操作や、この操作に伴い枠部材３０から外れた保護板３２の取付け直し作業が一切不要となり、例えば、厳寒の季節等に手袋を付けて行う場合にも、保護板３２の取付け直しは行わないことから、手袋をつけたまま点検作業を進めることが可能となり、これにより点検作業が効率化され、特にトンネルの発信機点検では通行止めの時間を極力短縮して、利用の利便性を損なわないようにすることができる。以下詳細に説明する。
【００２４】
［消火栓装置の発信機］
図１に示すように、例えばトンネルに設置される消火栓装置１０は、前面に化粧板１４を装着しており、筐体１２に対し必要な機器及び部材を組付けた後にトンネル現場に搬入して架台１１上に設置している。
【００２５】
化粧板１４の右側下部には消火栓扉１６が配置され、上部には保守扉１８が配置され、その内部がホース収納空間及びバルブ類収納空間となっている。消火栓扉１６は、ハンドルを手前に引いてロックを外すことで下側の軸を中心に前方に開閉することができる。保守扉１８は、上側の軸を中心に上向きに開閉自在であり、点検時等に消火栓扉１６を開いて内側のロックを外すことで開くことができる。
【００２６】
化粧板１４の左側には消火器扉２０が設けられ、消火器扉２０に対応した筐体１２の内部に例えば２本の消火器を収納している。消火器扉２０はハンドルを手前に引くとラッチが外れ、左側を軸として前方に開くことができる。また、消火器扉２０の下側には覗き窓２２が設けられ、外部から消火器の収納状態の有無を確認できるようにしている。
【００２７】
消火栓扉１６と消火器扉２０の間には通報装置扉２４が設けられ、ここに赤色表示灯２５、発信機２６、及び応答ランプ２８を設けている。発信機２６は後の説明で明らかにする本発明による発信機操作構造を備える。
【００２８】
赤色表示灯２５は常時点灯し、消火栓装置１０の設置場所が遠方から分かるようにしている。火災時には、発信機２６の保護板を押して押し釦スイッチをオンすると、発信信号が監視室の防災盤に送信されて火災警報が出され、これに伴い応答信号が防災盤から送られて、応答ランプ２８を点灯する。
【００２９】
また、消火栓装置１０の点検時には、発信機２６の保護板を保持したまま枠部材を取外し治具により通報装置扉２４から取外し、内蔵している押し釦スイッチをオンし、これに伴い応答信号が防災盤から送られて、応答ランプ２８を点灯することで正常に動作することを確認する発信機２６の点検を行う。
【００３０】
［発信機］
図２は図１の発信機の部分を取り出して発信機操作構造を示した説明図であり、図２（Ａ）に正面を示し、図２（Ｂ）に縦断面を示し、図２（Ｃ）に冶具治具係合部の詳細を拡大断面で示す。また、図３は図２の枠部材を取り出して示した説明図であり、図３（Ａ）に正面を示し、図３（Ｂ）に側面を示し、図３（Ｃ）に裏側から見た斜視図を示す。更に、図４は図３の保護板を取り出して示した説明図であり、図４（Ａ）に正面を示し、図４（Ｂ）に側面を示し、図４（Ｃ）に正面から見た斜視図を示し、図４（Ｄ）に裏側から見た斜視図を示す。
【００３１】
（発信機保持構造）
図２に示すように、装置本体として機能する通報装置扉２４の取付穴３４には、発信機２６が取り付けられている。発信機２６の操作構造は枠部材３０と透明な円板を用いた保護板３２で構成される。保護板３２の表面には「強く押す」の文字が刻設されている。
【００３２】
枠部材３０に保持された保護板３２の背後には押し釦スイッチ６０が配置される。押し釦スイッチ６０は前方にスイッチカバー６３で覆われたスイッチノブ６２が設けられ、またスイッチ本体には防水カバー６４が設けられ、防水カバー６４を通して信号線６６が引き出されている。
【００３３】
発信機２６を操作する場合には、保護板３２を指先で強く押すと、枠部材３０から保護板３０が外れて押し込まれ、取付穴３４の内部に配置している押釦スイッチ６０のスイッチノブ６２を押し込んでオンし、発信信号が受信機に送信される。
【００３４】
（枠部材）
図３に示すように、枠部材３０は、中央に操作穴３６を形成したリング状の部材であり、枠部材３０の裏面の上下左右の４箇所には取付アーム部３８が延在され、図２（Ｂ）に示すように、取付アーム部３８が取付穴３４に嵌合して発信機２６を通報装置扉２４に固定している。
【００３５】
また、枠部材３０の裏面の取付けアーム部３８の間となる４箇所にはストッパ部４０が起立され、取付穴３４に対する取付アーム部３８の嵌め込み位置を決めている。
【００３６】
また、枠部材３０の裏面には３か所に分かれて保護板保持部４２が円弧状に起立されており、ここに裏側から保護板３２を嵌め入れることで、図２に示したように、枠部材３０に保護板３２が保持される。ここで、枠部材３０による保護板３２の保持力は、前方から保護板３２を指で押したときに、２０Ｎ〜８０Ｎの力で外れるように保持力を設定している。
【００３７】
また、枠部材３０に形成した操作穴３６の内周上側には矩形に切り欠かれた保護板３２の位置決め部４５が形成されと共にマーカ４５ａが表示されている。
【００３８】
（保護板）
図４に示すように、保護板３２は透明な合成樹脂で作られた円板部材であり、円板部材の背後に、上側に開いた円筒状のガイドカバー部４４を一体に形成し、押し込みを受けて枠部材３０から外れた保護板３２を押し釦スイッチをオンする位置に案内移動できるようにしている。
【００３９】
また、保護板３２の外周の一部には矩形の位置決め突起４６が形成されると共にマーカ４６ａが表示されている。保護板３２を枠部材３２に保持する場合には、図２（Ａ）に示すように、マーカ４５ａ，４６ａが向かいように位置決めすることで、枠部材３０に対し保護プレート３２を押し圧力をバランス良く受ける正しい位置に保持させることができる。
【００４０】
（操作構造の治具係合部）
図２（Ａ）に示すように、枠部材３０に保護板３２を裏側から嵌め入れてマーカ４５ａ，４６ａで位置決めされる正しい位置に保持させると、枠部材３０の内周上部に切欠き形成した位置決め部４５の中に、スリット状の開口を持つ治具係合部３５が形成される。
【００４１】
即ち、図２（Ｃ）の拡大断面に示すように、枠部材３０の裏側に保護板３２を嵌め入れて保持すると、枠部材３０の上部裏側に形成した位置決め溝４５に枠部材３２の上部の位置決め部４６が位置し、その間に、枠部材３０に設けた操作穴３６の内周面に開口した冶具治具係合部３５が形成される。
【００４２】
［取外し治具］
図５は取外し治具の実施形態を示した説明図であり、図５（Ａ）に正面を示し、図５（Ｂ）に側面を示し、図５（Ｃ）に斜視図を示す。
【００４３】
図５に示すように、取外し治具４８は、点検時に、図２に示した枠部材３０を保護板３２を付けたまま通報装置扉２４の取付穴３４から取外すために使用する。
【００４４】
取外し治具４８は、冶具本体として側面視断面であるａ−ａ’断面がアーチ状となる取手部５０を備え、取手部５０の先端となる図示の上側に、幅を狭めた舌状の治具側係合部５２を屈曲して延在し、また、取手部５０の後端側となる図示の下側に、取手部５０と同じ幅で屈曲した押圧突起部５４を形成している。アーチ状の取手部５０は円弧部と円弧部の一端側に接続する先端側平面部５０ａと他端側に接続される後端側平面５０ｂとからなる。
【００４５】
このように取手部５０、治具側係合部５２及び押圧突起部５４で構成される取外し治具４８は、例えばステンレス製のプレート部材を打ち抜きした後の板金加工により作られる。
【００４６】
取手部５０の先端側の治具側係合部５２は、図２（Ａ）に示した枠部材３０の位置決め部４５に形成された冶具治具側係合部３５に係合可能な横幅と奥行をもち、先端側を丸くして嵌め込み易くしている。
【００４７】
取手部５０の後端側の押圧突起部５２は、先端の治具側係合部５２を図２に示した枠部材３２の冶具治具側係合部３５に係合したときに、冶具治具側係合部３５とは反対側の枠部材３０の表面に押し当てられ、枠部材３０に取手部５０が取り付けられたと同じ状態を作り出す。
【００４８】
アーチ状の取手部５０は取外し治具４８を使用する点検員が手袋をはめた状態で指をかけて持つことを可能とするものであり、取手部の高さとなるアーチ状の取手部５０の円弧部の半径Ｒは、電気機器の絶縁試験等に使用するＪＩＳ規格で定められた試験指（テストフィンガー）の直径である例えば１２ｍｍに、点検員が使用する手袋の厚さを加えた値に基づき設定されるものであり、例えばＲ＝１５ｍｍ〜３０ｍｍの範囲の値とすれば良い。
【００４９】
また、取手部５０の横幅は、１０ｍｍ〜３０ｍｍの範囲の値とすればよく、手袋をはめた指で扱う場合には、例えば２０ｍｍ程度のある程度の幅をもつことが扱い易い。
【００５０】
また、先端の治具側係合部５２は枠部材３０の中の治具係合部３５に係合し、押圧突起部５４は枠部材５２の表面に押圧されることから、治具側係合部５２の底面に対し押圧突起部５４の底面は所定の寸法差ΔＬだけ高くなる位置に形成している。
【００５１】
更に、取手部５０の例えば治具側係合部５２に近い位置にはストラップ穴５６が形成され、ここにストラップを通して使用することで、点検時に取外し冶具４８を落としたり、紛失することが無いようにする。
【００５２】
なお、取手部５０は円弧状に限定されず、例えば、矩形状としても良い。取手部の高さとなる取手部５０を矩形状とした場合の高さＨは、円弧状とした場合の半径Ｒと同様に、所定の試験指（テストフィンガー）の直径である例えば１２ｍｍに、点検員が使用する手袋の厚さを加えた値に基づき設定される、例えばＨ＝１５ｍｍ〜３０ｍｍの範囲の値とする。
【００５３】
また、矩形以外の適宜の形態をとってよく、取手部に内接する円の直径φ’＝１５ｍｍ〜３０ｍｍの範囲の値とするような形態であれば手袋をはめた指で扱う効果を奏することができる。
【００５４】
［発信機の点検作業］
図６は取付け治具を用いた発信機操作部の取外しの手順を示した説明図、図７は発信機操作構造に対する特付け治具の係合状態を裏面側から示した説明図であり、それぞれ構造を簡略化して要部構成として示している。
【００５５】
発信機２６の点検を行う場合には、まず図６（Ａ）に示すように、取外し治具４８の先端の治具側係合部５２を通報装置扉２４に配置している発信機２６における枠部材３０の治具係合部３５、即ち図２（Ａ）に示した枠部材３０の上側の位置決め部４４の奥に形成されている治具係合部３５に、矢印Ａに示すように押込むことで治具側係合部５２を治具係合部３５に係合する。
【００５６】
続いて図６（Ｂ）に示すように、取外し治具４８の治具側係合部５２を枠部材３０の冶具治具係合部３５に係合した状態で、取外し治具４８の下側の押圧突起部５４を枠部材３０の下側表面に押し当てるようにする。
【００５７】
図７は図６（Ｂ）に示す取外し治具４８の枠部材３０に対する係合状態を、枠部材３０の裏面側から示しており、取外し治具４８の治具側係合部５２が枠部材３０の裏側の治具係合部３５に入って係合した状態となっている。これにより図６（Ｂ）に示すように、発信機２６の前に取手部５０が取り付けられた状態となるように取外し治具４８が係合される。
【００５８】
続いて、点検員は取手部５０に指を掛けた状態で上側を手前に引く操作を行うと、取付穴３４に係合している上側の取付アーム部３８が変形して取付穴３４側から外れ、これに伴い下側の取付アーム部３８も取付穴３４側から外れ、図６（Ｃ）に示すように、通報装置扉２４の取付穴３４から枠部材３０を保護板３２を付けたまま前方に矢印Ｂに示すように引き出して取外すことができる。
【００５９】
続いて、枠部材３０を取外して開放した取付穴３４から指を入れ、内部に配置している図２（Ｂ）に示した押し釦スイッチ６０のスイッチノブ６２を押し込んでオン操作すると、発信信号が受信機に送信され、受信機側が正常に動作すると、図１に示した応答ランプ２８が点灯し、正常に動作したことが確認できる。
【００６０】
このように点検作業が終了したならば、取外している保護板３２を付けたままの枠部材３０を取付穴３４に押し込むことで、点検前の配置状態に簡単に戻すことができる。
【００６１】
［本発明の変形例］
（枠部材の幅）
上記の実施形態に加え、枠部材３０の外周面の幅は親指の腹の部分がリングを抑えられる程度の幅、例えば５ｍｍ程度の幅とすることが好適である。また、上記の実施形態の通り、取手部５０の横幅は、１０ｍｍ〜３０ｍｍの範囲の値とし、手袋をはめた指で扱う場合には、例えば２０ｍｍ程度のある程度の幅とすると、人差し指の第１間接と第２関節を曲げたときの幅となる。上記の構成とすることで、取外し治具の取手部に人差し指を挿入しながら親指で枠部材を固定することができ、またフィット感、安定感を得ることが可能となり、片手で枠部材を取外しても枠部材と取外し治具の係合を維持することができる。
【００６２】
（治具係合部の配置）
上記の実施形態にあっては、図２（Ａ）に示したように、保護板３２の位置決め突起４６が位置する上部の位置決め溝４４の部分に治具係合部３５を設けているが、これに限定されず、治具係合部３５は枠部材３０の内周の下側、右側、又は左側のいずれかに設けても良い。また、治具係合部３５は一ケ所に限らず、例えば枠部材３０の内周の上下等の複数個所に設けても良い。
【００６３】
また、治具係合部３５と治具側係合部５２ともに対応する複数箇所に設けても良い。このような構成とするとき、取り外し治具４８はばね性を備えるものとし、保護板３２を保持した枠部材３０を前記取付穴から取外す際は、取り外し治具を変形させたうえで治具係合部３５と治具側係合部５２が係合する位置に取外し治具４８を配置し、配置後に変形を解除することで治具係合部３５と治具側係合部５２を係合させる。
【００６４】
（係合部の構成）
また、治具係合部３５と治具側係合部５２は係合可能であれば適宜の形態をとってよい。例えば枠部材３０にフック状の係合部を治具係合部として一体成型又は取り付けて、治具側係合部で係合させて保護板を保持した枠部材を前記取付穴から取外せるようにしても良い。治具係合部と治具側係合部の係合はまた、磁力による係合であっても良いし、吸着による係合であっても良い。
【００６５】
（治具係合部の構成）
また、治具係合部は治具側係合部の押し込み方向において、例えばテーパ状に形成する又は凸部を形成するなどして押し込む向きに隙間が狭くなるように構成しても良い。上記の構成とすることで、枠部材が装置本体の取付面から離脱する作用が得られる。
【００６６】
（保護板）
上記の実施形態は、保護板３２として、押したときに外れて再度装着できる脱着可能なタイプを例にとっているが、これに限定されず、押したときに割れてしまう再利用不能なタイプの保護板を用いた発信機の操作構造についても、同様に適用することができ、保護板を割ることなく、保護板をつけたまま枠部材を取付穴から取外し治具により外して押し釦スイッチをオン操作する点検ができる。
【００６７】
（消火栓装置）
また、上記の実施形態は、トンネルに設置される消火栓装置に設けた発信機を例にとるものであったが、これに限定されず、保護板を保持した枠部材を装置本体の取付穴に設けた操作構造の発信機であれば、適宜の装置や機器に設けた発信機に適用することができる。
【００６８】
（その他）
また本発明はその目的と利点を損なうことのない適宜の変形を含む。また本発明は上記の実施形態に示した数値による限定は受けない。
【符号の説明】
【００６９】
１０：消火栓装置
２４：通報装置扉
２６：発信機
２８：応答ランプ
３０：枠部材
３２：保護板
３４：取付穴
３６：操作穴
３８：取付アーム部
３８ａ：アームガイド溝
４０：ストッパ部
４０ａ：ストッパガイド溝
４２：保護板保持部
４４：ガイドカバー部
４５：位置決め溝
４５ａ，４６ａ：マーカ
４６：位置決め部
４８：取外し治具
５０：取手部
５２：治具側係合部
５４：押圧突起部
５６：ストラップ穴
６０：押し釦スイッチ
６２：スイッチノブ
６３：スイッチカバー
６４：防水カバー
【図１】
2020136146.tif 000003
【図２】
2020136146.tif 000004
【図３】
2020136146.tif 000005
【図４】
2020136146.tif 000006
【図５】
2020136146.tif 000007
【図６】
2020136146.tif 000008
【図７】
2020136146.tif 000009